Podtech/llm-jp-corpus-v4-ja_patent huggingface dataset:
【手続補正書】
【提出日】平成20年2月28日(2008.2.28)
【手続補正１】
【補正対象書類名】明細書
【補正対象項目名】特許請求の範囲
【補正方法】変更
【補正の内容】
【特許請求の範囲】
【請求項１】  投与セットを通って流れる流体を濾過するためのフィルターチャンバ（５０、１００）であって、以下：
ほぼ管状のハウジング（５１、１１２）であって、該ハウジングは、該ハウジング内に流体を受容するための入口、該流体を該ハウジング（５１、１１２）から排出するための出口、および通路（５４、１１４）を規定する側壁（５２、１１０）を有し、該通路を通って、流体が該ハウジング（５１、１１２）の該入口から該出口の方へと流れる、ハウジング；ならびに
開放末端、閉鎖末端および該開放末端と該閉鎖末端との間の側壁を備えるサック様の構成を有するフィルターエレメント（６８、１０２）であって、該フィルターエレメント（６８、１０２）は、該通路（５４、１１４）の内部に配置されており、そして該フィルターエレメントが、該フィルターエレメント（６８、１０２）のほぼ開口末端において、該ハウジングの入口と出口との中間の地点で該ハウジングの側壁（５２、１１０）に成形されており、その結果、該通路（５４、１１４）を通って流れる流体の少なくとも一部が、該フィルターエレメント（６８、１０２）を通って流れて該流体を濾過すること、および該フィルターエレメント（６８、１０２）の開口末端が該フィルターエレメント（６８、１０２）の閉鎖末端より上流になるように、該フィルターエレメント（６８、１０２）が該通路（５４、１１４）内で配置されていることを特徴とする、フィルターエレメント、
を備える、フィルターチャンバ（５０、１００）。
【請求項２】  前記フィルターエレメント（６８、１０２）の開口末端の上流の前記通路（５４、１１４）のサイズが、該フィルターエレメント（６８、１０２）の開口末端の下流の通路（５４、１１４）のサイズと実質的に同じである、請求項１に記載のフィルターチャンバ（５０、１００）。
【請求項３】  前記フィルターエレメント（６８、１０２）は、前記側壁（５２、１１０）の肥厚区画（８０）に、ほぼ該フィルターエレメント（６８、１０２）の開口末端において成形されている、請求項２に記載のフィルターチャンバ（５０、１００）。
【請求項４】  前記ハウジングの側壁（５２、１１０）の肥厚区画（８０）の上流の前記通路（５４、１１４）のサイズが、該ハウジングの側壁（５２、１１０）の肥厚区画（８０）の下流の通路（５４、１１４）のサイズと実質的に同じである、請求項３に記載のフィルターチャンバ（５０、１００）。
【請求項５】  前記ハウジングの側壁（５２、１１０）の肥厚区画（８０）は、前記通路（５４、１１４）を通って流れる流体が前記フィルターエレメント（６８、１０２）の開放末端を通って流れるように方向付けるためにテーパー状である、請求項３に記載のフィルターチャンバ（５０、１００）。
【請求項６】  前記側壁（５２、１１０）は、該側壁と一体化して形成されて該側壁から半径方向内向きに延びる環状フランジ（１０８）を有し、前記フィルターエレメント（６８、１０２）は、中心開口部を規定し、前記流体が前記ハウジング（５１、１１２）の入口から前記出口の方へと流れる際に、前記通路（５４、１１４）内の実質的に全ての流体が該中心開口部を通って流れ、該フィルターエレメント（６８、１０２）は、該フィルターエレメント（６８、１０２）のほぼ開放末端において、該フランジ（１０８）に成形されており、その結果、該通路（５４、１１４）を通って流れる流体の実質的に全てが、該フィルターエレメント（６８、１０２）を通過して、該流体が濾過される、請求項１に記載のフィルターチャンバ（５０、１００）。
【請求項７】  前記フランジ（１０８）の上流の前記通路（５４、１１４）のサイズが、該フランジ（１０８）の下流の該通路（５４、１１４）のサイズと実質的に同じである、請求項６に記載のフィルターチャンバ（５０、１００）。
【請求項８】  前記フィルターエレメント（６８、１０２）の側壁（５２、１１０）が、該側壁内に形成された波形を有し、該波形のうちの少なくとも１つが、流体がほぼ該少なくとも１つの波形において該フィルターエレメント（６８、１０２）を通って流れるために充分に、該フィルターエレメント（６８、１０２）を通って流れる流体に対して曝露される、請求項１に記載のフィルターチャンバ（５０、１００）。
【請求項９】  前記波形のうちの少なくとも１つが、前記フィルターエレメントの側壁（５２、１１０）の半径方向内側に突出している、請求項８に記載のフィルターチャンバ（５０、１００）。
【請求項１０】  前記フィルターエレメント（６８、１０２）の断面が、ほぼ星形状である、請求項８に記載のフィルターチャンバ（５０、１００）。
【請求項１１】  １対のアーム（８４）をさらに備え、各アームは、前記フィルターエレメント（６８、１０２）を支持するために、少なくとも１つの末端において、前記ハウジング（５１、１１２）の側壁（５２、１１０）に固定されており、そして該フィルターエレメント（６８、１０２）の側壁（５２、１１０）に隣接して前記通路（５４、１１４）内でほぼ長手軸方向に延びている、請求項１に記載のフィルターチャンバ（５０、１００）。
【請求項１２】  前記アーム（８４）の各々が、前記ハウジング（５１、１１２）の側壁（５２、１１０）に固定された１つの末端から遠位に対向する末端を有し、前記フィルターチャンバ（５０、１００）が、交差支持部材（８６）をさらに備え、該交差支持部材は、前記フィルターエレメント（６８、１０２）をさらに支持するために、該アーム（８４）の対向する末端を接続し、そして該フィルターエレメント（６８、１０２）の閉鎖末端にほぼ隣接して該アームの間で延びる、請求項１１に記載のフィルターチャンバ（５０、１００）。
【手続補正書】
【提出日】平成20年3月21日(2008.3.21)
【手続補正１】
【補正対象書類名】明細書
【補正対象項目名】特許請求の範囲
【補正方法】変更
【補正の内容】
【特許請求の範囲】
【請求項１】
胸部の胸部電極を支持し、患者の律動及び１２リードＥＣＧを測定するために患者の身体の異なる部分に取り付けるための少なくとも一つの四肢電極に接続するハウジングと、
ハウジング内にあって、部分的なＥＣＧデータを収集し少なくも２個の出力チャンネル上でリアルタイムで並列に送信し、これにより１２リードＥＣＧデータを収集し１個の出力チャンネル上で逐次送信することによりなし得るよりも短時間で１２リードＥＣＧデータを送信できるＥＣＧ信号化回路とを備え、
前記ＥＣＧ信号化回路が、２個の電極で測定された律動を第１の出力チャンネル上で送信し、前記胸部電極および四肢電極の所定のものにより測定されたそれぞれの標本またはその機能を、少なくも第２及び第３の出力チャンネル上で送信する、携帯式ＥＣＧ信号化装置。
【請求項２】
各チャンネル周波数が、利用可能な周波数スペクトルの最適使用をなすために選ばれたそれぞれの中心周波数の周りでこれに供給されたＥＣＧ信号を変調する請求項１に記載の携帯式ＥＣＧ信号化装置。
【請求項３】
それぞれの中心周波数がほぼ１２７５Ｈｚ、１８７５Ｈｚ、及び２８５０Ｈｚであるる請求項２に記載の携帯式ＥＣＧ信号化装置。
【請求項４】
完全送信シーケンスが約１６秒かかる請求項１〜３のいずれか一項に記載の携帯式ＥＣＧ信号化装置。
【請求項５】
前記少なくとも一つの四肢電極が、第１及び第２の腋下電極及び脚電極をＥＣＧ信号化回路に接続し得る請求項１〜４のいずれか一項に記載の携帯式ＥＣＧ信号化装置。
【請求項６】
胸部電極が、薄い可撓性の電極支持具上に間隔を空けて支持され、かつ１２リード心電図を作るために、第１及び第２の腋下電極及び脚電極と関連して作動する請求項５に記載の携帯式ＥＣＧ信号化装置。
【請求項７】
可撓性電極支持具が、非使用時には小型の組立体に折り畳み得る請求項６に記載の携帯式ＥＣＧ信号化装置。
【請求項８】
少なくとも１個の電極スイッチをさらに含み、
前記電極スイッチは、ハウジングの外面から接近可能であり、かつ患者が男性か又は女性のどちらであるかに従って、第１の電極の一方及び第２の電極の対応する一方をＥＣＧ信号化回路に接続するために、ＥＣＧ信号化回路及びずらされた第１及び第２の電極の各対に接続される、請求項１〜７のいずれか一項に記載の携帯式ＥＣＧ信号化装置。
【請求項９】
前記少なくも１個の選択スイッチが、それぞれ男性及び女性の患者による作動のために、ずらされた第１及び第２の選択スイッチにより構成される請求項８に記載の携帯式ＥＣＧ信号化装置。
【請求項１０】
第１及び第２の選択スイッチがカラーコード化される請求項９に記載の携帯式ＥＣＧ信号化装置。
【請求項１１】
胸部電極が電極支持具の第１の面上に配置され、そして 第１の腋下電極が、電極支持具の第１の面とは反対側の第２の面上に配置される請求項５に記載の携帯式ＥＣＧ信号化装置。
【請求項１２】
第１の腋下電極が、種々の体格の患者に適合するように電極支持具の長さに沿って伸びる請求項１１に記載の携帯式ＥＣＧ信号化装置。
【請求項１３】
第１の腋下電極が、共通支持電極に連結された複数の空間的に分離された爪を有する請求項１２に記載の携帯式ＥＣＧ信号化装置。
【請求項１４】
隣り合った爪の間の空間が、非使用時に爪をハウジングの周りに折り得るような寸法に形成された請求項１３に記載の携帯式ＥＣＧ信号化装置。
【請求項１５】
第１の腋下電極が患者の左腋下の下の位置に適合する請求項５，１１〜１４のいずれか一項に記載の携帯式ＥＣＧ信号化装置。
【請求項１６】
電極がスクリーン印刷技術により形成される請求項１〜１５のいずれか一項に記載の携帯式ＥＣＧ信号化装置。
【請求項１７】
複数の胸部電極は冗長電極を含み、
ＥＣＧ信号化回路は、各々が患者の種々の体格の範囲に関連する設定を複数有する体格選択スイッチを有し、
ＥＣＧ信号化回路が、胸部電極の異なるものを選ぶための体格選定スイッチの選ばれた設定に応答する請求項１〜１６のいずれか一項に記載の携帯式ＥＣＧ信号化装置。
【請求項１８】
患者のＥＣＧの信号表現を送信するための送信機を備える請求項１〜１７のいずれか一項に記載の携帯式ＥＣＧ信号化装置。
【請求項１９】
送信機が、患者のＥＣＧの音響的信号表現を作成するための音声化ユニットを備える請求項１８に記載の携帯式ＥＣＧ信号化装置。
【請求項２０】
送信機が、患者のＥＣＧのデジタル信号表現を作成するためのデジタル回路（１７）を備える請求項１８に記載の携帯式ＥＣＧ信号化装置。
【請求項２１】
患者のＥＣＧのＦＭ変調搬送波信号表現を送信するためのＲＦ送信機を更に備える請求項１９に記載の携帯式ＥＣＧ信号化装置。
【請求項２２】
装置を患者の身体の周りに確保するための留め具を更に備える請求項１〜２１のいずれか一項に記載の携帯式ＥＣＧ信号化装置。
【請求項２３】
送信機が、
（ａ）携帯式ＥＣＧ信号化装置のモデル番号、
（ｂ）携帯式ＥＣＧ信号化装置のＩＤ番号、
（ｃ）携帯式ＥＣＧ信号化装置内の電池の状態、
（ｄ）第１及び第２の電極のどちらが選定されたかの標示、
（ｅ）選定された患者の体格の範囲、
（ｆ）留め具の状態、
（ｇ）電極支持具の大きさ、及び、
（ｈ）ＲＦ送信機の状態、
の少なくも幾つかを示すデータを送信する、請求項１８〜２１のいずれか一項に記載の携帯式ＥＣＧ信号化装置。
【請求項２４】
送信機が、
（ａ）ＥＣＧ信号化装置を識別する音調、
（ｂ）ＥＣＧ信号化装置のハードウエア構成及び予めプログラムされたデータを識別するデジタルデータ、
（ｃ）第１の出力チャンネル上で連続して送信されている患者の律動、
（ｄ）第２及び第３のチャンネル上で同時に送信されている腕及び脚の電極から誘導されたＥＣＧデータ、
（ｅ）第２及び第３のチャンネル上で同時に送信されている胸部電極から誘導されたＥＣＧデータの連続した対、
を送信する、請求項１８〜２１のいずれか一項に記載の携帯式ＥＣＧ信号化装置。
【請求項２５】
緊急警報装置と一体化された請求項１〜２４のいずれか一項に記載の携帯式ＥＣＧ信号化装置。
【手続補正書】
【提出日】平成20年1月24日(2008.1.24)
【手続補正１】
【補正対象書類名】明細書
【補正対象項目名】特許請求の範囲
【補正方法】変更
【補正の内容】
【特許請求の範囲】
【請求項１】  ａ．配列番号３３に示されるアミノ酸配列；および
ｂ．配列番号３３と少なくとも９５％類似するアミノ酸配列；
からなる群より選択されるアミノ酸配列を含む、単離されたＣｙｒ６１フラグメントであって、
該フラグメントは、Ｃｙｒ６１の生物学的機能を保持する、
Ｃｙｒ６１フラグメント
【請求項２】  配列番号３３と９９％類似する、請求項１に記載のＣｙｒ６１フラグメント。
【請求項３】  配列番号３３からなる、請求項１に記載のＣｙｒ６１フラグメント。
【請求項４】  請求項１に記載のＣｙｒ６１フラグメントと、薬学的に受容可能なキャリアと、を含む、薬学的組成物。
【請求項５】  Ｃｙｒ６１フラグメントをコードするポリヌクレオチド配列を含む、単離されたポリヌクレオチド配列であって、
該フラグメントは、
ａ．配列番号３３に示されるアミノ酸配列；および
ｂ．配列番号３３と少なくとも９５％類似するアミノ酸配列；
からなる群より選択されるアミノ酸配列を含み、
該ポリペプチドは、Ｃｙｒ６１の生物学的機能を保持する、
ポリヌクレオチド。
【請求項６】  請求項５に記載のポリヌクレオチドを含む、ベクター。
【請求項７】  請求項５に記載のポリヌクレオチドまたは請求項６に記載のベクターで形質転換またはトランスフェクトされた、宿主細胞。
【請求項８】  請求項１に記載のＣｙｒ６１フラグメントに特異的に結合する、単離された抗体。
【請求項９】  モノクローナル抗体である、請求項８に記載の抗体。
【請求項１０】  ポリクローナル抗体である、請求項８に記載の抗体。
【請求項１１】  ヒト化抗体である、請求項８に記載の抗体。
【請求項１２】  ＣＤＲ移植抗体である、請求項８に記載の抗体。
【請求項１３】  キメラ抗体である、請求項８に記載の抗体。
【請求項１４】  抗体フラグメントである、請求項８に記載の抗体。
【請求項１５】  請求項８に記載の抗体と、薬学的に受容可能なキャリアと、を含む、薬学的組成物。
【請求項１６】  約８アミノ酸〜約５０アミノ酸の長さの単離されたペプチドであって、
該ペプチドの配列は、
ａ．配列番号４のアミノ酸９３〜２１１；
ｂ．配列番号４のアミノ酸２１２〜２８１；
ｃ．配列番号４のアミノ酸２８０〜２９０；および
ｄ．配列番号４のアミノ酸９３〜２１１と少なくとも９５％類似する配列；
からなる群より選択される配列中にあるＣｙｒ６１フラグメントの配列であり、
該Ｃｙｒ６１フラグメントは、ヒトＣｙｒ６１の少なくとも１つの生物学的機能を保持する、
ペプチド。
【請求項１７】  請求項１６に記載のＣｙｒ６１フラグメントに特異的に結合する、単離された抗体。
【請求項１８】  ａ．配列番号４のアミノ酸残基２８０〜２９０；
ｂ．配列番号４のアミノ酸残基３０５〜３１０；
ｃ．配列番号４のアミノ酸残基９３〜２１１；および
ｄ．配列番号４のアミノ酸残基２１２〜２８１；
からなる群より選択されるアミノ酸配列を含む、単離されたヒトＣｙｒ６１フラグメントであって、
該Ｃｙｒ６１フラグメントは、ヒトＣｙｒ６１の少なくとも１つの生物学的機能を保持する、
Ｃｙｒ６１フラグメント。
【請求項１９】  請求項１８に記載のＣｙｒ６１フラグメントに特異的に結合する、単離された抗体。
【請求項２０】  請求項１８に記載のＣｙｒ６１フラグメントであって、
該フラグメントは、
ａ．配列番号４のアミノ酸残基２８０〜２９０；
ｂ．配列番号４のアミノ酸残基３０５〜３１０；
ｃ．配列番号４のアミノ酸残基９３〜２１１；および
ｄ．配列番号４のアミノ酸残基２１２〜２８１；
からなる群より選択されるアミノ酸配列からなる、
Ｃｙｒ６１フラグメント。
【請求項２１】  請求項２０に記載のＣｙｒ６１フラグメントに特異的に結合する、単離された抗体。
【請求項２２】  腫瘍形成または新脈管形成に関連する疾患もしくは状態を処置することにおいて使用するための組成物であって、
該組成物は、
インテグリンαＶβ３またはインテグリンα６β１へのＣｙｒ６１の結合を阻害する、Ｃｙｒ６１フラグメント
を含む、組成物。
【請求項２３】  請求項２２に記載の組成物であって、前記Ｃｙｒ６１フラグメントは請求項１に記載のＣｙｒ６１フラグメントである、組成物。
【請求項２４】  請求項２２に記載の組成物であって、前記Ｃｙｒ６１フラグメントは請求項１６に記載のＣｙｒ６１フラグメントである、組成物。
【請求項２５】  請求項２２に記載の組成物であって、前記Ｃｙｒ６１フラグメントは請求項１８または請求項２０に記載のＣｙｒ６１フラグメントである、組成物。
【請求項２６】  請求項２２に記載の組成物であって、前記腫瘍形成または新脈管形成に関連する疾患もしくは状態は、腫瘍増殖または腫瘍転移である、組成物。
【請求項２７】  腫瘍形成または新脈管形成に関連する疾患もしくは状態を処置することにおいて使用するための組成物であって、該組成物は、
インテグリンαＶβ３またはインテグリンα６β１へのＣｙｒ６１の結合を阻害する、抗体
を含む、組成物。
【請求項２８】  請求項２７に記載の組成物であって、前記抗体は請求項８に記載の抗体である、組成物。
【請求項２９】  請求項２７に記載の組成物であって、前記抗体は請求項１７に記載の抗体である、組成物。
【請求項３０】  請求項２７に記載の組成物であって、前記抗体は請求項１９に記載の抗体である、組成物。
【請求項３１】  請求項２７に記載の組成物であって、前記抗体は請求項２１に記載の抗体である、組成物。
【請求項３２】  請求項２７に記載の組成物であって、前記腫瘍形成または新脈管形成に関連する疾患もしくは状態は、腫瘍増殖または腫瘍転移である、組成物。
【請求項３３】  サンプルにおけるヒトＣｙｒ６１の変化した発現を検出するための方法であって、
該方法は、
ａ．サンプルを、配列番号４に示されるアミノ酸配列を有するポリペプチドに特異的に結合する抗体と、接触させる工程；
ｂ．該サンプルへの該抗体の結合を測定する工程；および
ｃ．工程（ｂ）の結合をコントロールと比較する工程；
を包含し、
ヒトＣｙｒ６１の変化した発現が、工程（ｂ）の結合とコントロールとの差によって同定されることを特徴とする、
方法。
【請求項３４】  新脈管形成障害または腫瘍形成障害を診断することを支援するための方法であって、
該方法は、
請求項３３に記載の方法に従ってヒトＣｙｒ６１の変化した発現を検出する工程；
を包含し、新脈管形成障害または腫瘍形成障害が、ヒトＣｙｒ６１の発現の増加によって診断されることを特徴とする、方法。
【手続補正書】
【提出日】平成20年3月12日(2008.3.12)
【手続補正１】
【補正対象書類名】明細書
【補正対象項目名】特許請求の範囲
【補正方法】変更
【補正の内容】
【特許請求の範囲】
【請求項１】  配列番号２５に記載のＤＮＡ配列またはそのアニーリング等価物の少なくとも１５個の連続した塩基を含むオリゴヌクレオチド。
【請求項２】  配列番号２５に記載の配列を含む、請求項１に記載のオリゴヌクレオチド。
【請求項３】  前記オリゴヌクレオチドが、配列番号９、配列番号１１、配列番号１３、および配列番号１５からなる群から選択される、請求項１に記載のオリゴヌクレオチド配列。
【請求項４】  配列番号２６に記載のＤＮＡ配列またはそのアニーリング等価物の少なくとも１５個の連続した塩基を含むオリゴヌクレオチド。
【請求項５】  配列番号２６に記載の配列を含む、請求項４に記載のオリゴヌクレオチド。
【請求項６】  前記オリゴヌクレオチドが、配列番号１０、配列番号１２、配列番号１４、および配列番号１６からなる群から選択される、請求項４に記載のオリゴヌクレオチド。
【請求項７】  配列番号２７に記載のＤＮＡ配列またはそのアニーリング等価物の少なくとも１５個の塩基を含むオリゴヌクレオチド。
【請求項８】  配列番号２７に記載の配列を含む、請求項７に記載のオリゴヌクレオチド。
【請求項９】  前記オリゴヌクレオチドが、配列番号１７、配列番号１９、配列番号２１、および配列番号２３からなる群から選択される、請求項７に記載のオリゴヌクレオチド。
【請求項１０】  配列番号２８に記載のＤＮＡ配列またはそのアニーリング等価物の少なくとも１５個の連続した塩基を含むオリゴヌクレオチド。
【請求項１１】  配列番号２８に記載の配列を含む、請求項１０に記載のオリゴヌクレオチド。
【請求項１２】  前記オリゴヌクレオチドが、配列番号１８、配列番号２０、配列番号２２、および配列番号２４からなる群から選択される、請求項１０に記載のオリゴヌクレオチド。
【請求項１３】  第１のプライマーは配列番号２５に記載のＤＮＡ配列またはそのアニーリング等価物の少なくとも１５個の連続した塩基を含み、第２のプライマーは配列番号２６に記載のＤＮＡ配列またはそのアニーリング等価物の少なくとも１５個の連続した塩基を含む、ＰＣＲプライマー対。
【請求項１４】  前記ＰＣＲプライマー対が、配列番号２５に記載のＤＮＡ配列を含む第１のプライマー、および配列番号２６に記載のＤＮＡ配列を含む第２のプライマーを含む、請求項１３に記載のＰＣＲプライマー対。
【請求項１５】  前記ＰＣＲプライマー対が、配列番号９、配列番号１１、配列番号１３、または配列番号１５のうちの１つ、および配列番号１０、配列番号１２、配列番号１４、または配列番号１６のうちの１つを含む、請求項１３に記載のＰＣＲプライマー対。
【請求項１６】  第１のプライマーが配列番号２７に記載のＤＮＡ配列またはそのアニーリング等価物の少なくとも１５個の連続した塩基を含み、第２のプライマーが配列番号２８に記載のＤＮＡ配列またはそのアニーリング等価物の少なくとも１５個の連続した塩基を含む、ＰＣＲプライマー対。
【請求項１７】  前記ＰＣＲプライマー対が、配列番号２７に記載のＤＮＡ配列を含むプライマー、および配列番号２８に記載のＤＮＡ配列を含むプライマーを含む、請求項１６に記載のＰＣＲプライマー対。
【請求項１８】  前記ＰＣＲプライマー対が、配列番号１７、配列番号１９、配列番号２１、または配列番号２３のうちの１つ、および配列番号１８、配列番号２０、配列番号２２、または配列番号２４のうちの１つを含む、請求項１６に記載のＰＣＲプライマー対。
【請求項１９】  前記ＰＣＲプライマー対が属特異的様式でＥｉｍｅｒｉａのｒＤＮＡの特定の領域の増幅に適用される、請求項１３〜請求項１８のいずれか１項に記載のＰＣＲプライマー対。
【請求項２０】  サンプル中のＥｉｍｅｒｉａを同定する方法であって、該方法は、
試験されるべきゲノムテンプレートＤＮＡを含むサンプルを得る工程と、
１つまたは複数の公知の同一性基準のゲノムＤＮＡを得る工程と、
下記(i)または(ii)からなる群から選択されるＰＣＲプライマー対を得る工程と、
(i)配列番号２５および配列番号２６に記載のＤＮＡ配列またはそのアニーリング等価物の少なくとも１５個の連続した塩基を含むプライマー、または
(ii)配列番号２７および配列番号２８に記載のＤＮＡ配列またはそのアニーリング等価物の少なくとも１５個の連続した塩基を含むプライマー、
前記プライマー対を使用してテンプレートＤＮＡ領域をＰＣＲによって増幅して、前記サンプルおよび前記１つまたは複数の公知の同一性基準から１つまたは複数のＰＣＲ産物を産生させる工程と、
前記サンプル由来の１つまたは複数のＰＣＲ産物と前記１つまたは複数の公知の同一性基準の１つまたは複数のＰＣＲ産物とを比較する工程と、
前記サンプル内に存在するＥｉｍｅｒｉ種を同定する工程とを包含する、方法。
【請求項２１】  前記ＰＣＲプライマー対が、配列番号９、配列番号１１、配列番号１３、または配列番号１５のうちの１つ、および配列番号１０、配列番号１２、配列番号１４、または配列番号１６のうちの１つ、又は、配列番号：１７、配列番号：１９、配列番号：２１、または配列番号：２３のうちの一つ、および配列番号：１８、配列番号：２０、配列番号：２２または配列番号：２４のうちの一つを含む、請求項２０に記載の方法。
【請求項２２】  前記ＰＣＲプライマー対が、配列番号２７および配列番号２８に記載の配列からなるプライマーを含む、請求項２０に記載の方法。
【請求項２３】  試験されるべきサンプルあたりＰＣＲを２回行い、各ＰＣＲは異なるプライマー対を使用する、請求項２０〜請求項２２のいずれか１項に記載の方法。
【請求項２４】  試験されるべきサンプルあたりＰＣＲを１回行い、両プライマー対は前記１回のＰＣＲに提供される、請求項２０〜請求項２２のいずれか１項に記載の方法。
【請求項２５】  請求項２０〜請求項２４のいずれか１項に記載の方法において、前記サンプル由来の前記１つまたは複数のＰＣＲ産物を前記１つまたは複数の公知の同一性基準の前記１つまたは複数のＰＣＲ産物とゲル電気泳動によって比較する方法。
【請求項２６】  ゲル電気泳動がＤＰＧＥおよび/またはＳＳＣＰである、請求項２５に記載の方法。
【請求項２７】  前記ＤＰＧＥおよびＳＳＣＰの両方を使用する、請求項２５に記載の方法。
【請求項２８】  ゲル電気泳動を自動システムで行う、請求項２５〜請求項２７のいずれか１項に記載の方法。
【請求項２９】  Ｅｉｍｅｒｉａ種の同定用の本明細書中に記載のオリゴヌクレオチドまたはそのアニーリング等価物のいずれか１つの使用。
【手続補正書】
【提出日】平成20年3月10日(2008.3.10)
【手続補正１】
【補正対象書類名】明細書
【補正対象項目名】特許請求の範囲
【補正方法】変更
【補正の内容】
【特許請求の範囲】
【請求項１】  壁空洞および基礎をなす壁枠組を有する構造物内のシロアリの存在を指摘するためのシロアリインジケータ装置であって、
シロアリが優先的に消費する物質を含み、壁の一方から前記壁空洞に挿入可能であり、挿入時には前記壁枠組の上を動き回るシロアリによって接近可能であり、かつ、シロアリの活動の痕跡を調べるために人手によって前記壁の一方から抜き取ることができるシロアリ餌要素を具備するシロアリインジケータ装置。
【請求項２】  前記シロアリ餌要素の前記物質は好ましくはナナカマド、または、コルクおよび／またはセルロースなどの木材を含む、請求項１に記載のシロアリインジケータ装置。
【請求項３】  前記壁空洞が前記壁枠組に取り付けられた内壁下地板によって仕切られており、前記シロアリ餌要素が前記内壁下地板の穴内にきちんと受容される大きさを有するプラグと、前記壁空洞の内部にいるシロアリが接近可能な前記壁枠組の上に位置し、シロアリが優先して消費する前記物質を含む木プローブとを具備する、請求項１に記載のシロアリインジケータ装置。
【請求項４】  前記壁枠組が複数の間柱および平板を含み、前記プローブを前記枠組の底板上に載置させる、請求項３に記載のシロアリインジケータ装置。
【請求項５】  前記シロアリ餌要素が、前記プローブを前記壁の中の前記プラグとは異なる高さに載置させるために、前記プローブと前記プラグとの中間に可撓性要素を含む、請求項３または４に記載のシロアリインジケータ装置。
【請求項６】  前記シロアリ餌要素はさらに、前記壁空洞から前記穴を通しての抜き取りを容易にするために、前記プローブを前記壁の前記穴に対して実質的に中心に配置させるためのセンタリング手段をも含み、前記センタリング手段は、一端を前記木プローブに取り付けかつ反対側の端を前記可撓性要素に取り付けた連結器を含む、請求項５に記載のシロアリインジケータ装置。
【請求項７】  前記壁下地板の前記穴を画定するために前記壁に装着するカラーをさらに含み、前記装置が壁の定位置に永久的に装着されたときに前記プラグが前記カラーにきちんと受容され、かつ、
前記カラーが雌ねじ山構成体を画定し、前記プラグが相補的ねじ山構成体を画定し、かつ前記装置が前記壁下地板に装着されるときに前記雌ねじ山構成体および相補的ねじ山構成体が係合する、請求項３ないし６のいずれか一項に記載のシロアリインジケータ装置。
【請求項８】  壁および木造枠組を有する構造物にシロアリ侵入の兆候が無いかを監視する方法であって、
シロアリが優先的に消費する物質を含む少なくとも１つのシロアリ餌要素を具備するシロアリインジケータ装置を前記構造物の内部に前記木造枠組に近接して配置するステップと、
シロアリ侵入の証拠が無いか各シロアリ餌要素を定期的に検査するステップと、を含む構造物の監視方法。
【請求項９】  複数の餌要素を前記構造物の前記壁の周囲に空間的に間隔をおいて配置するステップをさらに含む、請求項８に記載の方法。
【請求項１０】  前記木造枠組が間柱および平板を含み、前記餌要素が前記構造物の外縁を囲む前記構造物の底板上に載置される、請求項８または９に記載の方法。
【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】  候補化合物がタンパク質の作動薬または阻害剤であるかどうか、カルシウム感受性リポーターを含む細胞を用いて決定する方法であって、
（ａ）前記タンパク質を発現し、カルシウム感受性リポーターを含む細胞を準備するステップ、
（ｂ）前記細胞をカルシウムの細胞内キレート剤に曝すステップ、
（ｃ）前記細胞の第１部分を化合物に曝すステップ、
（ｄ）前記第１部分で発生するシグナルを測定するステップ、及び
（ｅ）化合物の存在下及び非存在下でのシグナルの量を比較するステップ
を含み、化合物の存在下でシグナルの量が増加すれば当該化合物はタンパク質の作動薬であることを示し、
カルシウム感受性リポーターにより発生するシグナルがカルシウムの細胞内キレート剤の存在により遅延することを特徴とする前記方法。
【請求項２】  ステップ（ａ）は、タンパク質を発現させる発現ベクターを用いて一過性にトランスフェクトした細胞を準備することを含むことを特徴とする請求の範囲第１項に記載の方法。
【請求項３】  リポーターがタンパク質であることを特徴とする請求の範囲第１項に記載の方法。
【請求項４】  細胞にリポーターを発現させる発現ベクターを一過性にトランスフェクトすることを特徴とする請求の範囲第３項に記載の方法。
【請求項５】  リポーターを発現させるポリヌクレオチドが細胞のゲノムに安定的に組み込まれていることを特徴とする請求の範囲第３項に記載の方法。
【請求項６】  リポーターがエクオリンであることを特徴とする請求の範囲第３項に記載の方法。
【請求項７】  カルシウム感受性リポーターが有機化合物であることを特徴とする請求の範囲第１項に記載の方法。
【請求項８】  カルシウムの細胞内キレート剤がＢＡＰＴＡ−ＡＭであることを特徴とする請求の範囲第１項に記載の方法。
【請求項９】  タンパク質がＧＰＣＲまたはイオンチャネルであることを特徴とする請求の範囲第１項に記載の方法。
【請求項１０】  タンパク質がカルシウムチャネルに結合する受容体であることを特徴とする請求の範囲第１項に記載の方法。
【手続補正書】
【提出日】平成20年3月12日(2008.3.12)
【手続補正１】
【補正対象書類名】明細書
【補正対象項目名】特許請求の範囲
【補正方法】変更
【補正の内容】
【特許請求の範囲】
【請求項１】  大量の熱に弱い核の上に外殻被覆を形成する方法において：
(ａ)  被覆形成槽内に大量の熱に弱い核を入れる工程；
(ｂ)  前記大量の熱に弱い核を撹拌する工程；
(ｃ)  前記大量の熱に弱い核の上に被覆形成溶液を計量供給する工程；
(ｄ)  大量の被覆された前記熱に弱い核を乾燥させながら、該熱に弱い核の表面温度を、温度センサを用いて直接測定する工程；
(ｅ)  乾燥用ガス流に前記被覆形成槽を通過させ、前記被覆された熱に弱い核の表面温度をあらかじめ決定された温度に維持するために前記工程(ｄ)の前記温度測定に応答して前記乾燥用ガスの温度を調節することにより、前記被覆された熱に弱い核を乾燥させる工程；及び
(ｆ)  完成製品を製造するために前記工程(ｃ)から前記工程(ｅ)までをあらかじめ決定された回数繰り返す工程；
を含み、
前記乾燥用ガスの温度が、前記被覆された熱に弱い核の表面温度を前記核の融点より低い温度に維持するに十分な温度であることを特徴とする方法。
【請求項２】  大量の前記被覆された熱に弱い核の表面の含水量を、水分センサを用いて直接測定し、前記被覆された熱に弱い核の表面水分が、水約０重量％から約３０重量％になるまで、前記被覆された熱に弱い核を乾燥させる工程をさらに含むことを特徴とする請求項１記載の方法。
【請求項３】  前記被覆された熱に弱い核の表面水分が、水約０重量％から約１０重量％になるまで、前記被覆された熱に弱い核を乾燥させる工程を含むことを特徴とする請求項１記載の方法。
【請求項４】  前記熱に弱い核が、チョコレート、チョコレート入り調合物、ココア入り調合物、ナッツ風味調合物またはナッツ入り調合物を含むことを特徴とする請求項１記載の方法。
【請求項５】  前記被覆形成溶液が、前記乾燥用ガス流に前記被覆形成槽を通過させながら、大量の前記熱に弱い核があらかじめ決定された重量を獲得するまで該熱に弱い核の上に計量供給されることを特徴とする請求項１記載の方法。
【請求項６】  前記乾燥用ガスの温度が２０℃から６０℃の間の温度に調節されることを特徴とする請求項１記載の方法。
【請求項７】  前記乾燥用ガスが、０℃から−１５℃の露点を有するように維持された含水量を有することを特徴とする請求項１記載の方法。
【請求項８】  (ａ)  大量の前記熱に弱い核が、大量の、チョコレートのあるいはチョコレート入りまたはピーナッツバター入りの熱に弱い核であり、
(ｂ)  前記被覆形成溶液が砂糖シロップまたは着色砂糖シロップであり、
(ｃ)  前記あらかじめ決定された温度が約２０℃から約２６℃であり、
(ｄ)  前記完成製品を製造するために繰り返される前記あらかじめ決定された回数が１から５０回である、
ことを特徴とする請求項１記載の方法。
【請求項９】  大量の前記被覆された熱に弱い核の表面の含水量を、水分センサを用いて測定する工程をさらに含むことを特徴とする請求項８記載の方法。
【請求項１０】  前記被覆された熱に弱い核の表面水分が、水約０重量％から約１０重量％になるまで、前記被覆された熱に弱い核を乾燥させる工程を含むことを特徴とする請求項８記載の方法。
【請求項１１】  被覆形成槽、被覆形成溶液ディスペンサー、ガス入口ポート及びガス出口ポートを備える、大量の熱に弱い核に被覆を形成するための被覆形成装置において、各熱に弱い核が表面、表面温度および表面含水量を有するものであり、該被覆形成装置が、
前記大量の熱に弱い核の前記表面温度の直接測定を行うように構成された温度センサ、および
前記温度センサの出力から前記表面温度を頻繁にモニタするコンピュータ化制御ユニットであって、被覆された熱に弱い核の表面の温度をあらかじめ決定された温度に維持するよう前記ガス入口ポートを通して前記被覆形成容器に導入される乾燥用ガスの温度の調節により、前記出力を関連付けるコンピュータ化制御ユニット、
を備えることを特徴とする被覆形成装置。
【請求項１２】  乾燥ガスファン、ガス乾燥素子、およびガス加熱素子をさらに備えることを特徴とする請求項１１記載の装置。
【請求項１３】  前記大量の熱に弱い核の表面の含水量を直接測定するように構成された水分センサをさらに備えることを特徴とする請求項１１記載の装置。
【請求項１４】  前記ガス乾燥素子が乾燥剤を含むことを特徴とする請求項１２記載の装置。
【請求項１５】  前記乾燥剤が塩化リチウム溶液または固体乾燥剤であることを特徴とする請求項１４記載の装置。
【請求項１６】  前記水分センサが近赤外線水分センサであることを特徴とする請求項１３記載の装置。
【請求項１７】  前記温度センサが赤外線温度センサであることを特徴とする請求項１１記載の装置。
【手続補正書】
【提出日】平成20年3月24日(2008.3.24)
【手続補正１】
【補正対象書類名】明細書
【補正対象項目名】特許請求の範囲
【補正方法】変更
【補正の内容】
【特許請求の範囲】
【請求項１】  充填されたタバコロッド部分を画成するようにタバコ材料で一部分充填されたチューブ状タバコマット及び充填されていないタバコロッド部分を含むシガレットであって、前記充填されたタバコロッド部分が前記シガレットの自由末端と隣合っているシガレット、ならびに、
電気発熱体及び前記発熱体を電気で付勢するシステムを含み、前記シガレットを少なくとも一部分収容するように配置されているライターを含んでなり、
前記シガレットと前記ライターは、シガレットが前記ライター内に収容されると、該ライターの前記電気発熱体の少なくとも一部分が、該充填されたタバコロッド部分の少なくとも一部分と重なるように互いに配置され、
前記シガレットと前記ライターは、シガレットが前記ライター内に収容されると、前記シガレットの前記自由末端がふさがれるように互いに配置され、
前記シガレットは、前記充填されたタバコロッド部分にそった第一部位に通孔領域を有し、
前記シガレットは、前記充填されていないタバコロッド部分にそって通孔を有していない、
電気喫煙システム。
【請求項２】  タバコロッド及びそのタバコロッドのチップされる末端部分に取り付けられたフィルターチッピングを含む電気喫煙システムのシガレットであって、
前記タバコロッドが、充填されたタバコロッド部分を画成するようにタバコ材料で一部分充填されたチューブ状タバコマット及び充填されていないタバコロッド部分を含み、前記充填されたタバコロッド部分が前記シガレットの自由末端と隣合っており、
前記シガレットが、前記充填されたタバコロッド部分にそった第一部位に通孔領域を有し、
前記シガレットが前記充填されていないタバコロッド部分にそって通孔を有していない、
シガレット。
【請求項３】  前記タバコロッドが、前記チューブ状タバコマットの周りに配置されたシガレットラッパーをさらに含み、前記通孔が、前記ラッパー及び前記マットを少なくとも一部分貫通している請求項１に記載のシガレット。
【請求項４】  前記シガレットが、電気ライターのヒーターフットプリントに相当する前記タバコロッドの長さ部分にそって熱処理を受けるように構成され、前記長さ部分が前記タバコロッドの前記自由末端部分から予め定められた距離を置いて位置し、前記通孔領域の前記第一部位が前記タバコロッドの前記自由末端から前記予め定められた距離にほぼ等しい第一距離を置いて位置している請求項３に記載のシガレット。
【請求項５】  下記ステップ：
タバコプラグとフィルター要素をタバコマットのリボンにそって繰り返し配列し、
前記マット材料のリボンにそって間隔を置いた位置に、一列の通孔を対向するローラーで打ち抜き、次いで
前記マットとラッパーを、前記繰り返し配列されたタバコプラグとフィルター要素の周りにラップして、タバコプラグ、フィルター要素及び該ラッパーの内面がタバコプラグとフィルター要素の間に空洞を画成し、その結果、マット通孔の列がタバコプラグとのみ重なって配列される、
ステップを含んでなるシガレットの製造方法。
【請求項６】  タバコロッドをドラムリンクアップアセンブリーに供給し、そのアセンブリーでタバコロッドが結合装置からチッピング装置に移送され、チッピング装置でタバコロッドがチッピングペーパーによってフィルターロッドに取り付けられ、そして
タバコロッドが該ドラムリンクアップアセンブリー内にある間に、レーザー通孔形成装置を付勢してタバコロッドの外表面に一つ以上の通孔を焼き抜いて作ることによって、通孔を形成されたタバコロッドを製造する、
ことを含んでなるタバコロッドに通孔を形成した後に、そのタバコロッドをフィルターロッドにチッピングペーパーによって組み付ける方法。
【手続補正書】
【提出日】平成20年3月12日(2008.3.12)
【手続補正１】
【補正対象書類名】明細書
【補正対象項目名】特許請求の範囲
【補正方法】変更
【補正の内容】
【特許請求の範囲】
【請求項１】  磁気共鳴画像を形成する方法であって、
それぞれが異なる空間感度を有する複数の高周波受信コイルの各々において核スピンを示す高周波信号を同時に測定するステップと、
画像平面の傾斜角、視界およびコイル感度較正のうちの少なくとも１つの変動に対して調節を行う調整空間調波の集合体を形成するように、空間調波の集合体を調整するステップと、
その結果、空間調波の集合体を形成するステップと、
異なる空間感度と調整空間調波の集合体との空間調波適合を行うことによってコイル較正係数を求めるステップと、
求めたコイル較正係数を実測高周波信号に加えて、多線のｋ空間データを形成するステップと、
ｋ空間データをＭＲＩ画像に変換するステップとを含む方法。
【請求項２】
コイル空間感度を表す感度行列を形成するステップと、
感度行列を調節するステップと、
感度行列を変換して較正係数を求めるステップと、
求めたコイル較正係数を加えるステップにおいて調節変換感度行列を使用するステップとをさらに含む、請求項１に記載の方法。
【請求項３】  ｋ空間データを変換するステップは、ｋ空間データに対する１つまたは複数のフーリエ変換を行うことを含む、請求項１に記載の方法。
【請求項４】  空間調波の集合体を調整するステップは、空間調波のファンクションの集合体の部分集合体を自動的に選択することを含み、コイル較正係数を求めるステップは、異なる空間感度と調整空間調波との空間調波適合を行うことを含む、請求項１に記載の方法。
【請求項５】  空間調波の集合体を調整するステップは、１以外の関数によって空間調波の集合体を調節して、位相符号化方向に沿う感度変動に対して調節を行うことを含む、請求項１に記載の方法。
【請求項６】  位相符号化方向の感度変動は、コイル感度の非対称性をもたらす、位相符号化方向の画像平面の傾斜から生じる、請求項５に記載の方法。
【請求項７】  コイル感度が低下する拡大された視界のエッジにおける適合を向上させるように関数を選択する、請求項５に記載の方法。
【請求項８】  関数によって空間調波の集合体を調節するステップは、空間調波の集合体に関数を乗ずるステップを含む、請求項５に記載の方法。
【請求項９】  関数は、異なる空間感度の整相和である、請求項５に記載の方法。
【請求項１０】  コイル較正係数を求めるステップは、特定の空間位置の異なる空間感度と調整空間調波の集合体との空間調波適合を行うことによって複数の特定空間位置に対するコイル較正係数を求め、加えるステップは、求めたコイル較正係数を特定の空間位置に対応する実測高周波信号に加える、請求項１に記載の方法。
【請求項１１】  異なる空間感度を、それぞれが個々のコイル感度プロフィルによって表されるストリップに分割することをさらに含み、
コイル較正係数を求めるステップは、異なる空間感度のストリップと調整空間調波の集合体との空間調波適合を行う、請求項１に記載の方法。
【請求項１２】  ストリップの数は、２と周波数符号化位置の数との間である、請求項１１に記載の方法。
【請求項１３】  ｋ空間データを変換するステップは、
実測高周波信号に対するフーリエ変換を行うステップと、
得られた変換信号をストリップに分割するステップと、
個別の重み係数を各ストリップに加えるステップとをさらに含む、請求項１に記載の方法。
【請求項１４】  １以外の関数によってそれぞれの異なる空間感度を調節し、同じ関数によって空間調波を調節するステップをさらに含む、請求項１に記載の方法。
【請求項１５】  コイル較正係数を求めるステップは、生体内感度参照と、生体内感度参照の組合せを乗じた調整空間調波との適合を行うステップを含む、請求項１に記載の方法。
【請求項１６】  低分解能生体内感度参照を使用する、請求項１５に記載の方法。
【請求項１７】  該組合せは生体内感度参照の整相和である、請求項１５に記載の方法。
【請求項１８】
磁気共鳴画像を生成するための装置であって、
それぞれが異なる空間感度を有し、試験対象内の核の核スピンを示す高周波信号を測定するように構成された複数の高周波受信コイルと、
（ａ）空間調波の集合体を調整して、画像平面の傾斜、視界およびコイル感度較正の少なくとも１の変動に対して調節される調整空間調波の集合体を形成するように空間調波の集合体を形成し、（ｂ）異なる空間感度と調整空間調波の集合体との空間調波適合を行うことによってコイル較正係数を求め、（ｃ）求めたコイル較正係数を実測高周波信号に加えて多線のｋ空間データを形成し、ｋ空間データをＭＲＩ画像に変換するように構成されたコントローラとを備えた装置。
【請求項１９】  コントローラは、コイル空間感度を表す感度行列を形成し、感度行列を調節し、感度行列を変換して較正係数を求め、調節変換感度行列を使用しながら求めたコイル較正係数を加えるようにさらに構成される、請求項１８に記載の装置。
【請求項２０】  コントローラは、ｋ空間データに対して１つまたは複数のフーリエ変換を行うことによってｋ空間データを変換するように構成される、請求項１８に記載の装置。
【請求項２１】  コントローラは、空間調波の集合体の部分集合体を自動的に選択することによって空間調波ファンクションの集合体を調整するように構成され、コントローラは、異なる空間感度と調整空間調波との空間調波適合を行うことによってコイル較正係数を求めるように構成される、請求項１８に記載の装置。
【請求項２２】  コントローラは、１以外の関数によって空間調波の集合体を調節して、位相符号化方向に沿う感度変動に対する調節を行うことによって、空間調波の集合体を調節するように構成される、請求項１８に記載の装置。
【請求項２３】  コントローラは、特定の空間位置における異なる空間感度と調整空間調波との空間調波適合を行うことによって複数の特定位置についてのコイル較正係数を求めるように構成され、コントローラは、求めたコイル較正係数を特定空間位置に対応する実測高周波信号に加えるように構成される、請求項１８に記載の装置。
【請求項２４】  コントローラは、異なる空間感度を、それぞれが個々のコイル感度プロフィルで表されるストリップに分割し、異なる空間感度のストリップと調整空間調波の集合体との空間調波適合を行うように構成される、請求項１８に記載の方法。
【請求項２５】  コントローラは、高周波信号に対してフーリエ変換を行い、得られた変換信号をストリップに分割し、個別的な重み係数を各ストリップに加える、請求項１８に記載の装置。
【請求項２６】  コントローラは、１以外の関数によって各々の異なる空間感度を調節するとともに、同じ関数によって空間調波を調節するように構成される、請求項１８に記載の装置。
【請求項２７】  コントローラは、生体内感度参照と、生体内感度参照の組合せを乗じた調整調波との適合を行うように構成される、請求項１８に記載の装置。
【請求項２８】  低分解能生体内感度参照を使用する、請求項２７に記載の装置。
【手続補正書】
【提出日】平成19年12月18日(2007.12.18)
【手続補正１】
【補正対象書類名】明細書
【補正対象項目名】特許請求の範囲
【補正方法】変更
【補正の内容】
【特許請求の範囲】
【請求項１】  橈骨コンポーネント（１）および尺骨コンポーネント（２）を備える下橈尺関節用の表面置換体であって、
互いに適合する表面（１４，３）を備え、
各コンポーネントは、自然関節の表面に新しい表面を形成して、これにより、前記新しい表面は前記尺骨コンポーネントが前記橈骨コンポーネントに対してローリング及び並進の両運動において移動するのを可能とするように、それぞれ橈骨（６）および尺骨（７）に置かれるべく意図されていることを特徴とする下橈尺関節用の表面置換体。
【請求項２】  移植後の当該コンポーネント（１、２）は、前腕の回転の際に互いに面すべく配置されることを特徴とする請求項１の表面置換体。
【請求項３】  当該尺骨コンポーネント（２）は、主に凸面の外表面を有し、且つ、当該尺骨コンポーネント（２）は互いに角度付けられた方形ないしは矩形フィールドの内表面を有していることを特徴とする請求項１または２の表面置換体。
【請求項４】  当該尺骨コンポーネント（２）は、多数の並列にされ且つ一体化された主に方形ないしは矩形の要素（２７、２７a）を備えることを特徴とする請求項３の表面置換体。
【請求項５】  前記要素（２７、２７a）のうち、２つの最外端に位置されたのは互いに平行であることを特徴とする請求項４の表面置換体。
【請求項６】  当該橈骨コンポーネント（１）は、移植後に当該尺骨コンポーネント（２）に向けて面され、且つ、下橈尺関節内で回転する際に当該尺骨コンポーネント（２）の外表面を支持する凹面の表面（１４）を有することを特徴とする請求項１ないし５のいずれかの表面置換体。
【請求項７】  当該尺骨コンポーネント（２、２a）の外表面の曲がりの半径は、当該橈骨コンポーネント（１）の凹面の表面（１４）の半径よりも小さいことを特徴とする請求項３に従属する請求項６の表面置換体。
【請求項８】  当該橈骨コンポーネント（１）は、凹面の表面（１４）の反対側に橈骨の孔またはスロットに挿入されるべく意図された少なくとも１つの突出部（５a、５b、１３）を有することを特徴とする請求項１ないし７のいずれかの表面置換体。
【請求項９】  突出部は、１つ以上のペグ（５a、５b）または細長い棚（１３）として形成されていることを特徴とする請求項８の表面置換体。
【請求項１０】  当該橈骨コンポーネント（１）は、関節用のプレート（１２）が固定される固定用のベースプレート（１１）を備えることを特徴とする請求項６ないし９のいずれかの表面置換体。
【請求項１１】  当該橈骨コンポーネント（１）および当該尺骨コンポーネント（２）は、それぞれ、骨用セメントを用いて橈骨（６）および尺骨（７）に固定され得ることを特徴とする請求項１ないし１０のいずれかの表面置換体。
【請求項１２】  下橈尺関節用表面置換体の尺骨コンポーネント（２）であって、
中心軸（２１）のまわりの主に半円筒形包囲表面を形成する凸面の外表面（３）を備える本体（２４）であって、当該凸面の外表面が尺骨の自然関節表面を置換すべく作用し、下橈尺関節の橈骨コンポーネントに対してローリング及び並進の両運動を行い得る本体（２４）と、
互いへの角度を形成し、下橈尺関節の受動的な圧縮力によって尺骨に対して押さえられる矩形状フィールドを有する内部表面（４）と、
で特徴付けられる尺骨コンポーネント（２）。
【請求項１３】  下橈尺関節用表面置換体の橈骨コンポーネント（１）であって、下橈尺関節の受動的な圧縮力によって橈骨に対して押さえられる、少なくとも１つの突出部分（５a、５b、１３）を有する側面（２８）であって、橈骨の自然関節表面に置換わり尺骨コンポーネントが当該橈骨コンポーネントに対してローリング及び並進の両運動において移動するのを可能とする凹面の側（１４）の反対側の側面（２８）で特徴付けられる橈骨コンポーネント（１）。